(57)【特許請求の範囲】
【請求項１】
ＭＲ−ＨＦ信号のための少なくとも１つの受信装置（１２、１２’）を備えるＭＲＴシステム（１０、１０’）であって、
前記受信装置（１２、１２’）は、ＭＲ−ＨＦ信号を受信するための受信コイルエレメント（２８）と、光学的変調器（４０、４０’）とを有し、
該光学的変調器は、前記受信コイルエレメント（２８）に接続された電気制御入力端（３８）と、当該変調器（４０、４０’）の出力信号（ＬＯ）を出力するための光学的出力端（４８）とを有するＭＲＴシステムにおいて、
前記光学的変調器（４０、４０’）は、前記ＭＲ−ＨＦ信号のための光学的復調装置を形成し、そのために前記変調器（４０、４０’）の光学的入力端（４２）はレーザ光源（２０）と接続されており、該レーザ光源は、光強度が周期的に所定の周波数（Ｆｏｓｃ）で変化するレーザ光（ＬＩ）を形成するよう構成されている、ことを特徴とするＭＲＴシステム。
【請求項２】
前記レーザ光源（２０）は前記受信装置（１２、１２’）の外に配置されており、前記レーザ光源のレーザ光（ＬＩ）は光案内装置（１８）を介して前記受信装置（１２、１２’）に伝送される、ことを特徴とする請求項１に記載のＭＲＴシステム（１０、１０’）。
【請求項３】
光電変換器（５６）が設けられており、該光電変換器によって前記変調器（４０、４０’）の光学的出力信号（ＬＯ）が電気信号に変換され、
前記変換器（５６）は、変換すべき光学的出力信号（ＬＯ）の変調周波数に依存する光学的感度を有しており、
前記感度のローパス特性が、前記ＭＲ−ＨＦ信号の周波数（Ｆｍｒｉ）と前記所定の周波数（Ｆｏｓｃ）との差（Ｆｍｒｉ−Ｆｏｓｃ）と、前記ＭＲ−ＨＦ信号の周波数（Ｆｍｒｉ）と前記所定の周波数（Ｆｏｓｃ）との和（Ｆｍｒｉ＋Ｆｏｓｃ）との間にある遮断周波数を有する、
ことを特徴とする請求項１または２に記載のＭＲＴシステム（１０、１０’）。
【請求項４】
前記所定の周波数（Ｆｏｓｃ）は５０ＭＨｚから５００ＭＨｚの範囲にある、ことを特徴とする請求項１から３のいずれか１項に記載のＭＲＴシステム（１０、１０’）。
【請求項５】
光学的分配器（７２）が設けられており、該光学的分配器は、前記レーザ光源（２０）のレーザ光（ＬＩ）が複数の受信装置（１２、１２’）に供給されるよう、および／または１つの受信装置（１２、１２’）の複数の変調器（４０、４０’）に供給されるよう構成されている、ことを特徴とする請求項１から４のいずれか１項に記載のＭＲＴシステム（１０、１０’）。
【請求項６】
前記レーザ光源（２０）は、光強度を変化させるためにマッハ・ツェンダー変調器（２４）を有する、ことを特徴とする請求項１から５のいずれか１項に記載のＭＲＴシステム（１０、１０’）。
【請求項７】
前記光学的変調器（４０、４０’）はマッハ・ツェンダー変調器を有し、該マッハ・ツェンダー変調器の光学的入力端（４２）は２つの光学的伝播経路（４４、４６）を介して前記変調器（４０、４０’）の光学的出力端（４８）と接続されており、
前記２つの伝播経路（４４、４６）の光学的経路長は、前記電気制御入力端（３８）に０Ｖの制御電圧（Ｕ、Ｕ’）が印加される場合には異なる、ことを特徴とする請求項１から６のいずれか１項に記載のＭＲＴシステム（１０、１０’）。
【請求項８】
前記光学的変調器（４０、４０’）はマッハ・ツェンダー変調器を有し、該マッハ・ツェンダー変調器の光学的入力端（４２）は２つの光学的伝播経路（４４、４６）を介して前記変調器（４０、４０’）の光学的出力端（４８）と接続されており、
前記２つの伝播経路（４４、４６）の一方の伝播経路（４４）を通って導かれる部分光線と、前記２つの伝播経路（４４、４６）の他方の伝播経路（４６）を通って導かれる部分光線とは、位相が９０°異なる、ことを特徴とする請求項１から７のいずれか１項に記載のＭＲＴシステム（１０、１０’）。
【請求項９】
前記光学的変調器（４０’）はマッハ・ツェンダー変調器を有し、該マッハ・ツェンダー変調器のアクティブ変調長（Ｌ）は１ｃｍ以上であり、前記アクティブ変調長を介して前記電気入力信号（Ｕ、Ｕ’）が光学的入力信号（ＬＩ）に作用する、ことを特徴とする請求項１から８のいずれか１項に記載のＭＲＴシステム（１０、１０’）。
【請求項１０】
該マッハ・ツェンダー変調器のアクティブ変調長（Ｌ）は３ｃｍ以上である、請求項９に記載のＭＲＴシステム（１０、１０’）。
【請求項１１】
前記光学的変調器（４０、４０’）は進行波変調器として構成されている、ことを特徴とする請求項１から１０のいずれか１項に記載のＭＲＴシステム（１０、１０’）。
【請求項１２】
前記受信装置（１２、１２’）は離調装置（３０）を有し、該離調装置は前記受信コイルエレメント（２８）の受信信号の強度に依存して切り換えられる、ことを特徴とする請求項１から１１のいずれか１項に記載のＭＲＴシステム（１０、１０’）。
【請求項１３】
前記受信装置（１２、１２’）は、光学的に切り換えられる離調装置（３０）を有する、ことを特徴とする請求項１から１２のいずれか１項に記載のＭＲＴシステム（１０、１０’）。
【請求項１４】
複数の離調装置（３０）が同一の信号によって切り換えられる、ことを特徴とする請求項１から１３のいずれか１項に記載のＭＲＴシステム（１０、１０’）。
【請求項１５】
エネルギー伝達装置が設けられており、該エネルギー伝達装置によって前記受信装置（１２）の電気コンポーネントを駆動するためのエネルギーを前記受信装置に伝達することができ、エネルギーは電磁的、とりわけ光学的に、またはマイクロ波領域で、または振動によって伝達される、ことを特徴とする請求項１から１４のいずれか１項に記載のＭＲＴシステム（１０、１０’）。
【請求項１６】
請求項７から１５のいずれか１項に記載のＭＲＴシステム（１０、１０’）のための受信装置（１２、１２’）。
【請求項１７】
ＭＲＴシステム（１０、１０’）においてＭＲ信号を獲得する方法であって、
ＭＲＴシステム（１０、１０’）の磁場内で被検体から照射された電磁的および／または磁気的ＭＲ−ＨＦ信号を受信コイルエレメント（２８）によって電気的ＭＲ−ＨＦ信号に変換し、
前記電気的ＭＲ−ＨＦ信号に依存してレーザ光（ＬＩ）の光強度を光学的変調器（４０、４０’）によって変調する、方法において、
前記レーザ光（ＬＩ）をレーザ光源（２０）によって形成し、該レーザ光源は前記レーザ光（ＬＩ）の強度を所定の周波数（Ｆｏｓｃ）で周期的に変化させ、これにより前記ＭＲ−ＨＦ信号による前記レーザ光（ＬＩ）の変調の間、前記変調器（４０、４０’）の光学的出力信号（ＬＯ）は、復調されたＭＲ−ＨＦ信号としてのＭＲ信号を含む、ＭＲＴシステム（１０、１０’）においてＭＲ信号を獲得する方法。
【発明の詳細な説明】
【技術分野】
【０００１】
本発明は、被検体から放射される電磁的および／または磁気的ＭＲ−ＨＦ信号を受信するための少なくとも１つの受信装置を備える核磁気共鳴トモグラフシステム（ＭＲＴシステム）に関するものである。本発明はまた、ＭＲＴシステム用の受信装置およびＭＲＴシステムによるＭＲ信号の獲得方法に関する。前記形式のＭＲＴシステムおよび受信装置は特許文献１から公知である。
【背景技術】
【０００２】
核磁気共鳴トモグラフを形成するためのシステムでは、被検体、たとえばヒトもしくは動物の被検体または材料試料が磁場内にもたらされ、この磁場はたとえばＭＲＴシステムの超伝導磁気コイルによって形成される。引き続き被検体は、高周波交番磁界が送信されることによって、高周波磁気応答信号または高周波電磁応答信号を送信する。ここで応答信号の周波数は、磁界の磁気強度に依存しており、約４２ＭＨｚ／Ｔである。被検体内の個々の領域を区別するために、勾配磁場によって被検体の個々のボクセル（ボリュームエレメント）が互いに数１００ｋＨｚだけ異なった応答信号を送信する。ボクセルから送信された高周波混合号をここではＭＲ−ＨＦ信号と称する。
【０００３】
ＭＲ−ＨＦ信号はＭＲＴシステムの少なくとも１つの受信コイルエレメントによって受信され、これにより電気的ＭＲ−ＨＦ信号に変換される。個々のボクセルの重畳された全体信号は高周波領域（ＨＦ領域）から中間周波数領域または基本周波数領域に変調しなければならない。受信コイルエレメントの電気ＭＲ−ＨＦ信号は場合により増幅され、インピーダンス整合の後、ミクサに供給される。ミクサはＭＲ−ＨＦ信号を中間周波数領域またはベースバンドに逓降混合または復調する。中間周波数領域または基本周波数数領域に復調された信号を、以下ではＭＲ信号と称する。
【０００４】
受信コイルエレメントは受信装置内にあり、受信装置はＭＲＴシステムの磁場内にある。このことは、受信装置内でさらなる複雑な電気回路を駆動するのを困難にする。比較的強力な交番磁場は複雑なシールド措置を必要とする。とりわけこのような回路の熱は熱的信号ノイズの原因となり、これはＭＲ−ＨＦ信号を妨害する。容積の大きな電気回路は受信装置を取り扱いにくくし、このことはとりわけ患者を検査する機器の場合にはこの受信装置を長時間患者に固定するのを困難にする。とりわけ患者にとっては機器の熱のため不快に熱くなる。
【０００５】
したがってこれらの理由から、受信装置にはもっとも必要なコンポーネントしか装備されていない。さらなるコンポーネントは磁気的にシールドされた領域、たとえばＭＲＴシステムのコントロール室に格納されている。したがって受信装置は通例、同軸ケーブルを介してこの評価装置と接続されている。同軸ケーブルを介して、増幅された電気ＭＲ−ＨＦ信号が磁場から取り出され、評価装置で復調され、さらに処理される。ＭＲＴシステムは通常、多数の受信コイルエレメントを有するから、同軸ケーブルのケーブル束は非常に取り扱いにくい。とくに伝送される信号が多数あるため、個々の同軸ケーブル間のクロストークは大きな労力を掛けないと阻止できない。最後に、磁気システムの交番磁界により同軸ケーブルの外皮に同相電流が誘導されるのを阻止しなければならない。このことは、同軸ケーブルに沿ってコモンモードチョークまたはシース電流フィルタを必要とする。これらのフィルタは磁界強度が大きいためフェライトコアによっては提供できず、共振回路、いわゆるバズーカによって得ることができる。その場合、シース電流フィルタはシース電流の波長の１／４の間隔で離さなければならない。磁界強度が３Ｔｅｓｌａの場合、この間隔はたとえば１５ｃｍである。このことは受信装置をさらにやっかいなものにする。
【０００６】
上記の刊行物には、ＭＲ−ＨＦ信号が光導波体を介して光学的に磁場から取り出され、ＭＲＴシステムの制御室に伝送されるＭＲＴシステムが記載されている。このシステムでは受信装置が光学的変調器を有し、この光学的変調器の電気制御入力端に受信コイルエレメントが接続されている。変調器には一定の光強度のレーザ光が供給される。レーザ光の光強度は光学的変調器によって、受信コイルエレメントにより形成されたＭＲ−ＨＦ信号に依存して変調される。光学的変調器の出力信号は次に光導波体を介して、磁気的にシールドされた評価装置の光電変換器に伝送され、この光電変換器は光信号を再び電気ＭＲ−ＨＦ信号に変換する。次にこの信号は復調のためミクサに供給される。このシステムの欠点は、付加的な光学エレメントがＭＲＴシステムの製造コストを上昇させることである。とりわけ光学的変調器は、バイアス電圧を提供する回路を駆動するために供給電圧を必要とする。このバイアス電圧は変調器の動作点により調整される。したがってこのシステムでは、入力装置を光学的に接続するだけでなく、電気的にも接続しなければならない。したがってこのシステムにおいても、受信装置にコモンモードチョークを省略することはできない。
【先行技術文献】
【特許文献】
【０００７】
【特許文献１】米国特許第７５０８１２３号
【発明の概要】
【発明が解決しようとする課題】
【０００８】
本発明の基礎とする課題は、ＭＲＴシステムにおいてＭＲＴシステムにおけるＭＲ信号を高周波ＭＲ−ＨＦ信号から獲得するための回路コストを低減することである。
【課題を解決するための手段】
【０００９】
この課題は、請求項１のＭＲＴシステム、請求項１２の受信装置、および請求項１３の方法によって解決される。本発明のＭＲＴシステムの有利な改善形態は従属請求項に記載されている。
【００１０】
本発明のＭＲＴシステムでも同じように受信装置が設けられており、この受信装置によって被検体が核磁気共鳴により送信するＭＲ−ＨＦ信号が少なくとも１つの受信コイルエレメントにより受信される。このために受信装置は同様に光学的変調器を有し、その電気制御入力端は受信コイルエレメントと接続されている。受信装置にある光学的変調器によって、レーザ光の強度が受信コイルエレメントのＭＲ−ＨＦ信号に依存して変調される。このように光強度変調された変調器の光学的出力信号は、受信装置の光学的出力端から出力される。そこから光学的出力信号は光案内装置、たとえば光導波体を介してＭＲＴシステムの磁場から取り出され、評価装置に伝送することができる。
【００１１】
本発明のＭＲＴシステムでは、受信装置の光学的変調器が、受信コイルエレメントのＭＲ−ＨＦ信号のための光学的復調装置を形成する。そのために変調器の光学的入力端は専用のレーザ光源と接続されている。このレーザ光源は、光強度が時間に関して一定ではなく、周期的に所定の周波数で変化するレーザ光を形成するよう構成されている。
【００１２】
本発明のＭＲＴシステムの駆動によって、ＭＲ信号を形成する以下の本発明の方法が実施される。コイルエレメントによって、ＭＲＴシステムの磁場内で被検体の電磁的および／または磁気的ＭＲ−ＨＦ信号が受信され、電気的ＭＲ−ＨＦ信号に変換される。次に光学的変調器によって、レーザ光源の光学的変調器が受信するレーザ光の光強度が電気的ＭＲ−ＨＦ信号に依存して変調される。このレーザ光はここでは、レーザ光の強度を所定の周波数で周期的に自ら変化させるレーザ光源によって形成される。すでに光強度が周期的に変動するレーザ光を変調器によってさらにＭＲ−ＨＦ信号により変調することにより、変調器の光学的出力信号にはＭＲ−ＨＦ信号の復調が行われる。すなわち出力信号の光強度の時間経過はＭＲ信号を復調されたＭＲ−ＨＦ信号として含んでいる。
【００１３】
本発明のＭＲＴシステムおよび本発明の方法には、復調されたＭＲ信号を得るために電気的ミクサまたはデジタルミクサを追加で準備する必要がないという利点がある。受信装置での光電変換の際に逓降混合が自動的に行われる。同様に完全な復調に続いて必要な逓降混合された信号のローパスフィルタリングも、少なくとも一部が自動的に評価装置での光電変換の際に行われる。
【００１４】
本発明のＭＲＴシステムでは、とくに前記レーザ光源を受信装置の外に配置することができる。この場合、レーザ光源のレーザ光は光案内装置を介して受信装置に伝送される。したがってレーザ光源は有利には受信装置の外で磁気的にシールされた領域内で駆動することができる。レーザ光源は誘電電流に対してわざわざシールドする必要がなく、その電気線路にコモンモードチョークも必要としない。
【００１５】
とりわけ評価装置内に、数１０ＭＨｚから１００ＭＨｚ以上の周波数により変調される光信号を変換するための光電受信エレメントを必要としない。評価装置で受信された光信号はすでに中間周波数帯域またはベースバンドに復調されており、したがって対応して安価なコンポーネントを使用することができる。ＭＲＴシステムのとくに有利な実施形態では光電変換器を特別に選択する。すなわちこの変換器によれば、光案内装置を介して受信装置から評価装置に伝送される変調器の光出力信号が電気信号に変換される。このような光電変換器はたとえばフォトダイオードであり、通例、光感度を有していて、この光感度は変換すべき光出力信号の変調周波数に依存する。この感度は通例、構造に起因してローパス特性を有する。本発明のＭＲＴシステムと関連して、ローパス特性の遮断周波数が変調により形成される２つの混合積の間にある光電変換器を設けるととくに有利であることが判明した。ここで混合積とは、復調時に発生する２つの周波数帯域を意味する。１つは復調されたＨＦ信号と変調周波数との差であり、もう１つはこれら周波数の和である。復調された信号、すなわちＭＲ信号を誤差なしでさらに処理するためには、高周波成分（ＨＦ信号周波数＋変調周波数）をローパスフィルタにより減衰しなければならない。これは付加的な回路コストなしで、少なくとも一部はすでに光電変換器自体により、対応する低い遮断周波数を有する変換器を選択することによって行うことができる。遮断周波数の低い変換器の利点は、同時に比較的大きな光感知性面積によって構成できることであり、したがって同等の変換器よりも遮断周波数以下の信号に対して対応して大きな感度を有する。このような変換器は、従来のＭＲＴシステムでもＭＲ−ＨＦ信号の受信のために提供されていたものと同様である。
【００１６】
上記の変調周波数は、すでに述べたようにレーザ光源がその出力レーザ光の光強度を変化させる周波数である。周波数は好ましくは５０ＭＨｚから５００ＭＨｚの範囲である。これにより通常のすべてのＭＲＴ磁場強度（１Ｔｅｓｌａから１１Ｔｅｓｌａまで）についてＭＲ−ＨＦ信号が、さらなる処理のため中間周波数領域または基本周波数数領域で復調される。
【００１７】
本発明のＭＲＴシステムには有利には光分配器が設けられており、この光分配器は、レーザ光源のレーザ光が多数の受信装置および／または多数の変調器に受信装置内で分配されるように構成されている。光電変換器の感度がよいので、多数の受信コイルエレメントの信号をＭＲＴシステムの磁場から磁気シールドされた領域に光学的経路で伝送するのにただ１つのレーザ光源のレーザ光だけで十分である。
【００１８】
前記レーザ光源の技術的実現との関連で有利な実施形態では、レーザ光源が光強度を変化するためにマッハ・ツェンダー変調器を有する。マッハ・ツェンダー変調器をすでに構成されたＭＲＴシステムのモデルに後から装備することができ、したがって本発明の方法を実施するのに適する。
【００１９】
受信装置自体の光変調器も有利にはマッハ・ツェンダー変調器を有する。ここでは、通常のマッハ・ツェンダー変調器はすでに説明したように、動作点を調整するためにバイアス回路を必要とし、このバイアス回路には電気エネルギーを供給しなければならないことに注意すべきである。したがってこのことは受信装置に電気線路を設けることを必要とし、この電気線路を再びコモンモードチョークによりシールドしなければならない。
【００２０】
基本的にマッハ・ツェンダー変調器は、レーザを受信するための光入力端と、変調されたレーザ光を出力するための光出力端とを有する。光入力端は、光出力端と２つの光伝播経路を解して接続されている。電圧をマッハ・ツェンダー変調器の電気制御入力端に印加することによりカー効果に基づいて、２つの光伝播経路の光学的経路長の差が、印加される制御電圧が大きければ大きいほど大きくなる。対応して光出力端には、異なる伝播経路を介してそこに達した光線間の位相ずれが生じ、これらの光線は対応して破壊的に干渉する。本発明のＭＲＴシステムでは有利には、２つの伝搬経路の光学的経路長がすでに構造に起因して異なっているマッハ・ツェンダー変調器が使用される。これにより、電気制御入力端に電圧が印加されない場合、光出力端には干渉が生じる。言い替えると、光学的バイアスは電気回路がなくても作用する。好ましくは使用するレーザ光の波長に対して２つの伝搬経路の光学的経路長が異なることにより、９０°の位相ずれが生じ、制御電圧が０Ｖのとき変調器の透過率ＴはＴ＝５０％である。
【００２１】
マッハ・ツェンダー変調器の適切な構成によって、受信装置における電気エネルギーの必要性はさらに低減する。好ましくは光学的変調器としてマッハ・ツェンダー変調器が設けられており、そのアクティブな変調長さは１ｃｍより大きく、とりわけ２ｃｍより大きく、好ましくは３ｃｍより大きい。アクティブな変調長さとは、電気制御信号の電界がポッケルスセルまたはカーセル内で光学的入力信号に作用する領域の長さを意味する。このように変調長さが大きい場合では、受信装置においてＭＲ−ＨＦ信号のための電気的前置増幅器を省略することができる。５Ｔｅｓｌａ、とりわけ１０Ｔｅｓｌａ以上の強力な基本磁場を備えるＭＲＴシステムにおいて、大きな信号品質の光学的変調を得るために、受信装置の光学的変調器は有利に進行波変調器として構成されている。
【００２２】
受信装置においてさらに電気エネルギーを必要とする回路装置は、ＭＲＴシステムの場合、いわゆる離調装置である。離調装置は、電磁的および／または磁気的ＭＲ−ＨＦ信号を放射するよう被検体を励起する励起信号が受信コイル内で臨界的な電圧の受信信号を形成することを阻止する。本発明のＭＲＴシステムの実施形態は、外部の電気エネルギーを必要としない離調装置を予定する。電気エネルギーの代わりに離調装置は、受信コイルエレメントの受信信号の強度に依存して自立的に切り替わる。受信信号が所定の電圧レベルを上回ると、この過電圧は、受信コイルエレメントを受動的に、すなわち受信コイルエレメントにより受信されたエネルギーによって離調するために用いられる。このことはたとえば逆並列に接続されたトランジスタによって達成することができる。トランジスタは受信コイルエレメントの共振回路を橋絡する。
【００２３】
同様に、光学的にスイッチング可能な離調装置を設けると有利であることが判明した。対応するスイッチング信号と場合により離調装置のコンポーネントを駆動するためのエネルギーは、同じ光案内装置を介して受信装置に伝送することができ、この光案内装置を介してレーザ光源のレーザ光も伝送される。
【００２４】
受信装置のアレイの受信コイルエレメントを離調することのできる複数の離調装置が同じ信号によってスイッチングされる場合には、受信装置の構造が有利に簡素化される。
【００２５】
前記の改善形態によって、完全に外部の電気エネルギー供給なしで、または少なくとも非常に小さな電気エネルギーによって駆動することのできる受信装置を提供することができる。場合により残る必要エネルギーは、受信装置自体に格納されるバッテリーによって調達できるほど小さい。ＭＲＴシステムの有利な改善形態ではエネルギー伝送装置が設けられており、これにより所要のエネルギーを電磁的に、とりわけ光学的またはマイクロ波領域でまたは発振により伝送することができる。このようにして電気線路の使用、ひいては不所望のコモンモードチョークの使用を省略することができる。したがって受信装置をＭＲＴシステムの他の部分と接続するための線路は非常に細く、取り扱いやすいように構成することができる。
【００２６】
ＭＲＴシステムの他にＭＲＴシステム用の受信装置も本発明全体に含まれる。ここで受信装置は、ＭＲＴシステム自体に関連して前に説明した特徴および改善形態を有する。したがって受信装置については特別に説明しない。
【００２７】
以下、本発明を実施例に基づき詳細に説明する。
【図面の簡単な説明】
【００２８】
【図１】本発明のＭＲＴシステムの第１の実施形態によるＭＲＴシステムのブロック回路図である。
【図２】図１のＭＲＴシステムの受信装置の光学的変調器の概略図である。
【図３】図１の光学的変調器の透過率を示す線図である。
【図４】本発明のＭＲＴシステムの別の実施形態によるＭＲＴシステムのブロック回路図である。
【図５】図４のＭＲＴシステムの受信装置の光学的変調器の概略図である。
【図６】本発明のＭＲＴシステムの別の実施形態によるＭＲＴシステムのブロック回路図である。
【発明を実施するための形態】
【００２９】
実施例は本発明の有利な実施形態を示す。
【００３０】
図１には、受信装置１２と評価装置１４を備える核磁気共鳴トモグラフまたはＭＲＴシステム１０が示されている。ＭＲＴシステム１０は、図示の受信装置１２の他にさらに同じ構造を有する別の受信装置を有することができる。受信装置１２はたとえば患者または動物に、ベルトまたは別の固定装置によって固定することができる。患者は寝台の上に横たわり、ＭＲＴシステム１０の（図示しない）コイルマグネットの基本磁場内に置かれている。評価装置１４は区間の外でコイルマグネットと接続されており、これから磁気的に遮蔽されている。受信装置１２は２つの光学的案内装置１６、１８を介して評価装置１４と接続されている。光学的案内装置１６、１８は光導波体または光導体とすることができる。受信装置１２は非常に平坦で軽量である、したがって受信装置が患者を煩わせたり、締め付けたりすることはない。光学的案内装置１６、１８の端子も非常に小型で軽量である。受信装置が必要とする電気エネルギーは、所要のシース型フィルタ付き電気ケーブルを必要としないほど小さい。
【００３１】
ＭＲＴシステム１０では被検体のＭＲ-ＨＦ信号が受信装置１２内ですでに復調され、復調された信号として評価装置１４に伝送される。受信装置１２は復調のために電気的要素を必要としない。その代わりに受信装置１２は案内装置１８を介して入力レーザ光線Ｌ１を受信する。このレーザ光の光強度は周波数Ｆｏｓｃにより次第に発振し、光学的復調信号として用いられる。ここで光強度は有利には正弦波状に発振する。しかしレーザ光は別の周期的関数、たとえば矩形発振、鋸歯発振または三角波発振にしたがって変化することもできる。入力レーザ光線ＬＩはレーザ光源２０によって形成される。レーザ光源２０はレーザ２２と、レーザ光の強度を変化するための変調装置２４とを有している。レーザ２２はレーザ光をたとえばＶＣＳＥＬレーザダイオード、ファブリー・ペローレーザダイオード、分布帰還形レーザダイオードによって形成することができる。変調器２４はマッハ・ツェンダー変調器とすることができる。電気制御信号を変調器２４は評価装置１４のクロック発生器２６（ＣＬＫ）から受信する。変調周波数はたとえば１２５ＭＨｚとすることができる。変調周波数は、磁気コイルの基本磁場の磁界強度に応じてクロック発生器２６で調整される。
【００３２】
受信装置１２は受信コイル２８によって患者の被検体から核磁気共鳴信号を受信し、その中心周波数Ｆｍｒｉはたとえば１２３ＭＨｚとすることができる。中心周波数はＭＲＴシステム１０の磁気コイルの基本磁場の強度に依存する。受信コイル２８により被検体の応答信号が電気信号に変換され、この電気信号が第１のインピーダンス整合回路３０を介して電力増幅器３２に供給される。電力増幅器３２の出力信号は、インピーダンス整合と出力信号のフィルタリングのための別の回路３６を介して光学的変調器の電気制御入力端３８に伝送され、ここでこの信号は制御信号Ｕとして作用する。制御信号Ｕの中心周波数は同様にＦｍｒｉ＝１２３ＭＨｚである。制御信号ＵはＭＲ−ＨＦ信号であり、磁気共鳴画像形成（ＭＲＩ、各磁気共鳴画像）のための画像情報を含んでいる。
【００３３】
回路３０は離調装置（同調ＴＮと離調ＤＴＮ）も有しており、これは受信コイル２８からエネルギーで駆動することができる。増幅器３２は低ノイズの前置増幅器であり、非常に小さな電力しか必要としない。この電力は前置増幅器３２に、受信装置１２の（図示しない）バッテリーにより、またはエネルギー伝送装置を介して供給することができる。エネルギー伝送装置は、たとえば電磁経路または機械的経路（振動）を介して評価装置１４からのエネルギーを受信する。したがって受信装置１２とＭＲＴシステム１０の他のコンポーネントとの間に電気接続は必要ない。
【００３４】
光学的変調器４０は、たとえばマッハ・ツェンダー変調器とすることができる。光学的変調器４０の機能を以下、図２と図３に関連して説明する。光学的変調器４０は入力レーザ光線ＬＩを光学的入力端４２を介して受信する。ここから２つの別個の光学経路４４、４６を記して１つの光学的出力端４８に導かれる。この光学的出力端で２つの経路４４、４６の２つの部分光線が１つの出力レーザ光線ＬＯにまとめられる。光案内装置１６は光学的出力端４８に接続されており、出力レーザ光線ＬＯを光案内装置１６に入力結合する。光学的伝播経路４４、４６は、たとえばＬｉＮｂＯ３などからなる電子光学的基板に基づいて作製することができる。このような電子光学的基板の屈折率は、基板を貫通する電界の電界強度の関数である。制御電圧Ｕを変化することにより、対応して光学的変調器４０の電極間にそれぞれの光学的伝播経路を通り抜ける電界が調整される。ここで電気制御信号Ｕは２つの光学経路４４、４６に反対方向に作用する。これにより伝播経路４４、４６の電子光学的エレメントの光路は、制御電圧Ｕが所定の値の場合、反対に変化する。制御電圧Ｕが０Ｖ（Ｕ＝０Ｖ）の場合、光学的変調器１４は全体で透過率Ｔ＝５０％に対応する光学的伝達特性を有する。透過率Ｔは、２つの部分光線の間の干渉度に対する尺度である（１００％＝建設的干渉、０％＝相殺的干渉）。ここから、電圧信号Ｕの値によってレーザ光線の強度が変化する。入力信号が０ＶのときにＴ＝５０％の透過率を得るために、光学的変調器４０は光学的伝播経路４６に光学的バイアスエレメント５０を有する。バイアスエレメント５０によって光学的伝播経路４６を通って導かれる部分光線は、伝播経路４４を介して導かれる部分光線を基準にして９０°だけ位相がずらされる。したがってＵ＝０ＶのときにＴ＝５０％で光学的変調器４０の動作点ＯＰが得られる。ここで光学的変調器４０の透過率の特性曲線Ｋは、最大勾配の線形領域５２を有する。したがって光学的変調器４０は、Ｕ＝０Ｖの領域で制御信号Ｕの小さな変化に対してとくに鋭敏である。値が最大Ｕｍａｘにある最大振幅に対して特性曲線Ｋは圧縮領域５４を有する。これにより有利には、受信コイル２８の入力信号を比較的広いダイナミクスで一義的に伝送することができる。
【００３５】
光学的変調器４０から発する出力レーザ光線ＬＯは、受信コイル２８の入力信号の２つの変形成分を含んでいる。すなわち中心周波数Ｆｉｎｔ＝（Ｆｏｓｃ−Ｆｍｒｉ）の復調変形成分と、中心周波数（Ｆｏｓｃ＋Ｆｍｒｉ）の第２の混合積である。出力レーザ光線ＬＯは光電変換器５６、たとえばフォトダイオードによって受信される。光電変換器の電気出力信号はインピーダンス変換器５８によって整合され、続いてアンチエーリアスフィルタ６０に伝送される。変換器５６とアンチエーリアスフィルタ６０によって高周波信号成分（Ｆｏｓｃ＋Ｆｍｒｉ）が抑圧され、アンチエーリアスフィルタ６０の出力信号は受信コイル２８の復調された受信信号、すなわち中心周波数Ｆｉｎｔ＝（Ｆｏｓｃ−Ｆｍｒｉ）のＭＲ信号のみを有する。中心周波数はたとえばここではＦｉｎｔ＝２ＭＨｚである。この信号はプロセッサユニット６２、たとえばデジタルシグナルプロセッサに伝送され、ここでＡＤ変換器６４はそこからデジタル入力信号を形成し、このデジタル入力信号はデエンファシス装置６６によって補償される。補償によって特性曲線Ｋの圧縮領域５４の影響が取り消される。デエンファシス装置はたとえば補償のための特性マップ（ルックアップテーブル）を有することができる。このようにデジタル化され、補償された入力信号は、第２のデジタルミクサ６８を介して中心周波数Ｆｉｎｔの中間周波数帯域からベースバンドに逓降され、直交成分に分解される。ミクサ６８のデジタル出力信号は、各磁気共鳴画像を復元するために（図示しない）画像処理部に供給される。
【００３６】
以下図４と図５に基づいて、受信装置の必要電気エネルギーがとくに小さい本発明のＭＲＴシステムの実施形態を説明する。図１のＭＲＴシステムとの相違を分かりやすくするため、図４と図５では図１のＭＲＴシステムと同じように構成することのできるエレメントには図１と同じ参照符合が付してある。これらのエレメントは、図４と図５に関連して再度説明しない。
【００３７】
図４のＭＲＴシステム１０’では、受信装置１２’が前記増幅器３２のような前置増幅器を有していない。その代わりに光学的変調器４０’がマッハ・ツェンダー変調器として構成されており、ここでは電子光学的に活性な相互作用区間７０がアクティブ変調長Ｌを有し、これは２０ｍｍから４０ｍｍの範囲にある。アクティブ変調長ＬはとりわけＬ＝３１ｍｍである。これにより復調の際に、制御電圧Ｕ’として印加される受信コイル２８のＭＲ−ＨＦ信号の増幅率が約３０ｄＢだけ増強され、これは通常は前置増幅器によって達成しなければならない。変調器４０’のマッハ・ツェンダー変調器は、図５に示すように進行波変調器としても構成することができる。変調器４０’のバイアスエレメント５０は図５には図示されていない。
【００３８】
離調装置３０とインピーダンス整合部３６は完全に受動回路として構成されている。したがって離調回路３０は、たとえば逆並列に接続された、ＬＣ素子を橋絡するためのトランジスタまたは光学的に切り替え可能なエレメントを含むことができる。
【００３９】
全体として受信装置１２’は受動回路ユニットを形成し、この受動回路ユニットには外部から電気エネルギーを供給する必要がない。
【００４０】
図６には、とくに高い感度を有する光電変換器５６をどのように使用するかが示されている。この光電変換器の上方遮断周波数は本発明のＭＲＴシステムでは、従来のＭＲＴシステムの場合よりも低くすることができる。図６では簡単にするため、構造が図１に対応する素子には図１と同じ参照符合が付してある。
【００４１】
光電変換器５６の高い感度は、ただ１つのレーザ光源２０の光を複数のＭＲ信号の伝送のために使用することを可能にする。このためにレーザ光源２０の出力レーザ光線ＬＩが光学的分配装置７２によって分配され、複数の光学的変調器に供給される。これらの変調器のうち図６には光学的変調器４０だけが図示されている。光学的変調器は同じ１つの受信装置の構成部分とすることができ、たとえば受信コイルアレイの信号を復調することができる。光学的分配器７２はＭＲＴシステムの受信装置の外部に配置することもでき、出力レーザ光線ＬＩを複数の受信装置に分配する。複数の光学的分配装置を設け、レーザ光を複数の受信装置に分配することも、ただ１つの受信装置内で複数の光学変調器に分配することももちろん可能である。
【符号の説明】
【００４２】
１０、１０’  ＭＲＴシステム
１２、１２’  受信装置
１４  評価装置
１６、１８  光学的案内装置
２０  レーザ光源
２２  レーザ
２４  変調器
２６  クロック発生器
２８  受信コイル
３０  整合回路
３２  電力増幅器
３４、３６  回路
３８  制御入力端
４０、４０’  変調器
４２  入力端
４４、４６  光学的経路
４８  出力端
５２  線形領域
５４  圧縮領域
５６  光電変換器
５８  インピーダンス変換器
６０  アンチエーリアスフィルタ
６２  プロセッサユニット
６４  ＡＤ変換器
６６  デエンファシス装置
６８  ミクサ
７０  交互作用区間
７２  光学的分配装置
Ｋ  特性曲線
ＬＩ  入力レーザ光線
ＬＯ  出力レーザ光線
ＯＰ  動作点
Ｕ、Ｕ’  制御電圧
Ｕｍａｘ  最大電圧
Ｔ  透過率
【図１】
0005875502.tif 000002
【図２】
0005875502.tif 000003
【図３】
0005875502.tif 000004
【図４】
0005875502.tif 000005
【図５】
0005875502.tif 000006
【図６】
0005875502.tif 000007